(57)【要約】【課題】使用者の使い勝手に優れ、また自動排水栓の閉栓異常を早期に検知して、湯水を無駄にすることなく、円滑な自動湯張り運転が可能な風呂給湯装置を提供する。【解決手段】浴室外操作端末２０１の自動湯張り運転の操作と連動して、自動排水栓７１の閉栓信号を出力させ、自動排水栓７１が閉栓されているかどうかを開閉検知手段７５により検知し、開閉検知手段７５で自動排水栓７１の閉栓が検知された場合、自動湯張り運転を開始させる。【選択図】図１
2017198379.tif 000002
【特許請求の範囲】
【請求項１】
浴槽と、
浴槽底部に設けられた自動排水栓、自動排水栓を開閉駆動する開閉駆動手段、自動排水栓の開閉を検知する開閉検知手段、及び通信手段を有する自動排水装置と、
浴槽の自動湯張り運転を操作する浴室以外に配設された少なくとも１つの浴室外操作端末と、
浴室外操作端末での自動湯張り運転の操作に連動して、自動排水装置に自動排水栓の閉栓信号を送信する閉栓信号送信手段と、
自動湯張り運転を制御する制御装置と、を備え、
自動排水装置は、閉栓信号送信手段からの閉栓信号を受信すると、自動排水栓を閉栓させて、閉栓検知信号を制御装置に送信し、
制御装置は、自動排水装置からの閉栓検知信号を受信すると、自動湯張り運転を開始させる風呂給湯装置。
【請求項２】
請求項１に記載の風呂給湯装置において、
自動排水装置、及び浴室外操作端末は、閉栓信号送信手段と、無線により接続され、
閉栓信号送信手段は、湯水を生成する熱源機内に設けられた制御装置と有線により接続されている風呂給湯装置。
【請求項３】
請求項１または２に記載の風呂給湯装置において、
自動排水装置は、手動操作部をさらに有する風呂給湯装置。
【発明の詳細な説明】
【技術分野】
【０００１】
本発明は、浴槽へ自動で湯張りする風呂給湯装置に関する。特に、本発明は、自動排水栓を備えた風呂給湯装置に関する。
【背景技術】
【０００２】
従来、リモコンなどの操作端末に湯張りスイッチを設け、使用者が湯張りスイッチを操作すると、設定された温度の湯水が、設定された湯量、浴槽に湯張りされるよう自動湯張り運転を行う風呂給湯装置が知られている。
【０００３】
上記のような操作端末での操作により自動湯張り運転が実行される風呂給湯装置では、使用者が排水口を閉じておくのを忘れた場合に、浴槽に湯水が供給されてしまうという不都合がある。また、台所等の浴室外にも湯張りスイッチを有する操作端末が設けられている場合、使用者が浴室まで行って排水栓の閉栓を確認する必要がある。
【０００４】
上記観点から、排水栓の閉栓を判定するために、自動湯張り運転を開始させると、浴槽の循環口以上の水位となる水量の湯水を浴槽に一旦、供給し、その後、循環ポンプを作動させて、水流が検知されるかどうかから、排水栓の閉栓を自動で確認し、水流が検知されると、設定された湯量となるように残りの湯水を湯張りすることが提案されている（特許文献１）。
【先行技術文献】
【特許文献】
【０００５】
【特許文献１】特開２０１４−２２８１５１号公報
【発明の概要】
【発明が解決しようとする課題】
【０００６】
しかしながら、自動排水栓への異物の噛み込みや駆動構成の異常等により閉栓異常が発生した場合、排水栓の閉栓忘れと同様の問題が生じる。このため、特許文献１の排水栓の閉栓確認方法では、少なくとも循環口以上の水位となる水量の湯水を浴槽に供給しなければ、閉栓を確認できない。それゆえ、閉栓異常が生じていた場合、湯水が無駄になるという問題がある。また、特許文献１の閉栓確認方法では、閉栓異常が生じていなかった場合でも、閉栓確認を行うために、一旦、湯水の供給を停止して、循環ポンプにより湯水を循環させなければならない。それゆえ、湯張り時間が長くなるという問題もある。
【０００７】
本発明は上記課題を解決するものであり、本発明の目的は、使用者の使い勝手に優れ、湯水を無駄にすることなく、排水栓の閉め忘れのない状態で、円滑な自動湯張り運転が可能な風呂給湯装置を提供することにある。
【課題を解決するための手段】
【０００８】
本発明は、
浴槽と、
浴槽底部に設けられた自動排水栓、自動排水栓を開閉駆動する開閉駆動手段、自動排水栓の開閉を検知する開閉検知手段、及び通信手段を有する自動排水装置と、
浴槽の自動湯張り運転を操作する浴室以外に配設された少なくとも１つの浴室外操作端末と、
浴室外操作端末での自動湯張り運転の操作に連動して、自動排水装置に自動排水栓の閉栓信号を送信する閉栓信号送信手段と、
自動湯張り運転を制御する制御装置と、を備え、
自動排水装置は、閉栓信号送信手段からの閉栓信号を受信すると、自動排水栓を閉栓させて、閉栓検知信号を制御装置に送信し、
制御装置は、自動排水装置からの閉栓検知信号を受信すると、自動湯張り運転を開始させる風呂給湯装置である。
【０００９】
上記風呂給湯装置によれば、浴室外操作端末での自動湯張り運転の操作に連動して、閉栓信号送信手段は自動排水栓の閉栓信号を送信させ、自動排水装置は閉栓信号を受信すると、自動排水栓を閉栓させるから、浴室外操作端末を操作した場合でも、排水栓の閉栓を確認するために、使用者は浴室に行く必要がない。
また、上記風呂給湯装置によれば、自動排水装置は自動排水栓の開閉を検知する開閉検知手段を有しており、閉栓信号送信手段からの閉栓信号を受信して、自動排水栓を閉栓させ、開閉検知手段で自動排水栓の閉栓が検知されて閉栓検知信号が送信されたときのみ、制御装置は自動湯張り運転を開始させるから、自動排水栓の閉栓が確認された後、浴槽に湯水を供給できる。
【００１０】
上記風呂給湯装置において、
自動排水装置、及び浴室外操作端末は、閉栓信号送信手段と、無線により接続され、
閉栓信号送信手段は、湯水を生成する熱源機内に設けられた制御装置と有線により接続される。
【００１１】
一般に、自動湯張り運転を制御する制御装置は、浴室外に設置される熱源機内に設けられているから、閉栓信号送信手段を制御装置内に設けた場合、配線工事が必要となる。しかしながら、上記風呂給湯装置によれば、自動排水装置及び浴室外操作端末と、閉栓信号送信手段とを無線により接続し、閉栓信号送信手段のみを制御装置と有線により接続しているから、浴室の配線工事を行う必要がない。
【００１２】
上記風呂給湯装置において、
自動排水装置は、手動操作部をさらに有する風呂給湯装置。
【００１３】
上記風呂給湯装置によれば、自動排水装置が、手動操作部を有しているから、操作端末での湯張り運転操作とは無関係に、使用者の意図に応じて自動排水栓を開閉させることができる。
【発明の効果】
【００１４】
以上のように、本発明によれば、浴室外操作端末での自動湯張り運転の操作に連動して、自動排水装置が自動排水栓を閉栓させるから、閉栓確認のために使用者が浴室に行く必要がない。また、自動排水栓を閉栓させて開閉検知手段で閉栓が検知されたときのみ、自動湯張り運転を開始させるから、自動排水栓に閉栓異常が生じている状態で、浴槽に湯水が供給されるのを防止できる。さらに、自動排水栓の閉栓異常を検知するために、浴槽に湯水を供給する必要もない。
従って、本発明によれば、使用者の使い勝手に優れ、湯水を無駄にすることなく、確実に排水栓の閉栓忘れが生じていない状態で、円滑な自動湯張り運転が可能な風呂給湯装置を提供できる。
【図面の簡単な説明】
【００１５】
【図１】図１は、本発明の実施の形態に係る風呂給湯装置の一例を示す概略構成図である。
【図２】図２は、本発明の実施の形態に係る風呂給湯装置の制御動作の一例を示すフローチャートである。
【図３】図３は、本発明の他の実施の形態に係る風呂給湯装置の一例を示す概略構成図である。
【発明を実施するための形態】
【００１６】
以下、本実施の形態の風呂給湯装置について図面を参照しながら説明する。
図１は、本実施の形態に係る湯張り機能及び追焚き機能を有する風呂給湯装置の概略構成図である。この風呂給湯装置は、浴室内に配設される浴槽２０と、浴室外に配設される熱源機３とを備える。
【００１７】
熱源機３には、浴槽２０に湯水を給湯する給湯回路３０と、浴槽２０の湯水を循環させる循環回路４０とが設けられている。給湯回路３０は、給湯用ガスバーナ３７によって加熱される給湯用熱交換器３１に給水源からの水を供給する給水管３２と、給湯用熱交換器３１から湯水を出湯する給湯管３３とから構成されている。給水管３２には、給水量を検知する給水量センサ３５等が配設されており、給湯管３３には、給湯用熱交換器３１から出湯される湯水の温度を検知する給湯温度センサ３６等が配設されている。給水量センサ３５や給湯温度センサ３６等で検知される検知信号は、後述する本体側制御装置Ｃｍに出力される。
【００１８】
循環回路４０は、熱源機３から浴槽２０へ湯水を供給する往き管４２と、浴槽２０内の湯水を熱源機３に戻す戻り管４３とから構成されており、これら往き管４２と戻り管４３は、浴槽２０の構成壁に取り付けられた循環金具１７に接続されている。また、循環回路４０には、循環ポンプＰが組み込まれており、追焚き用ガスバーナ４７によって加熱される追焚き用熱交換器４１の出口側に往き管４２が接続され、入口側に戻り管４３が接続されている。
【００１９】
給湯回路３０の給湯管３３は、給湯用熱交換器３１の下流側で浴槽２０に給湯するための風呂用給湯路３８と、台所や洗面所等に給湯するための常用給湯路３９に分流されている。風呂用給湯路３８は、その下流端が循環回路４０に接続されている。風呂用給湯路３８には、湯張り電磁弁５０、循環回路４０からの逆流を防止する逆止弁５１や、風呂用給湯路３８を流れる湯水の流量を検知する流量センサ５２等が設けられている。流量センサ５２で検知される検知信号は、本体側制御装置Ｃｍに出力される。
【００２０】
本実施の形態の自動排水装置７は、浴槽２０の底壁に開設された排水口２１を上下動して開閉する自動排水栓７１と、浴槽２０のフランジ部に設けられた手動操作スイッチ７２（手動操作部）と、手動操作スイッチ７２の下方に配置され、自動排水栓７１を上下動させるモータ等からなる排水栓駆動部７３と、排水栓駆動部７３と自動排水栓７１とを接続するケーブル７４と、自動排水栓７１の開閉を検知する接触センサ７５（開閉検知手段）とを備える。このため、本実施の形態では、使用者がリモコン１０１，２０１で自動湯張り運転を操作した場合だけでなく、使用者が手動操作スイッチ７２を操作することによっても、浴槽２０の湯水を排水させることができる。また、自動排水装置７には、排水栓駆動部７３近傍に自動排水装置７の動作を制御する排水栓制御装置Ｃｄが組み込まれており、排水栓制御装置Ｃｄは、主としてマイクロコンピュータから構成され、処理プログラムに従って、各構成部を制御する制御部、後述する無線ユニット８と無線通信する通信部等を備えている。接触センサ７５は、例えば、磁気センサやホールＩＣで構成され、接触センサ７５で検知された開栓及び閉栓検知信号は、排水栓制御装置Ｃｄから無線ユニット８に送信される。
【００２１】
本実施の形態の風呂給湯装置は、自動湯張り運転を実行するための操作端末として、浴室内に設けられた浴室用リモコン１０１と、台所に設けられた台所用リモコン２０１とを有している。各リモコン１０１，２０１は、運転スイッチ１０２，２０２、湯張り運転スイッチ１０３，２０３、追焚き運転スイッチ１０４，２０４、表示部１０５，２０５や、図示しない温度設定スイッチ、湯量設定スイッチ等を備えている。また、各リモコン１０１，２０１の内部には、各リモコン１０１，２０１の運転動作を制御する端末側制御装置Ｃ１，Ｃ２が組み込まれており、各端末側制御装置Ｃ１，Ｃ２は、主としてマイクロコンピュータから構成され、処理プログラムに従って、各構成部を制御するリモコン制御部、無線ユニット８と無線通信する通信部等を備えている。
【００２２】
無線ユニット８は、例えば、浴室の天井壁の裏面に配設され、既述した自動排水装置７及び各リモコン１０１，２０１と無線接続されているとともに、熱源機３の本体側制御装置Ｃｍと電気配線により有線接続されている。従って、本実施の形態によれば、無線ユニット８のみを熱源機３と接続すればよく、自動排水装置７や各リモコン１０１，２０１と無線ユニット８とを接続するために配線工事を行う必要がない。なお、無線ユニット８は、熱源機３内に設けてもよいし、自動排水装置７や各リモコン１０１，２０１と無線通信可能であれば、本体側制御装置Ｃｍに無線通信機能を持たせてもよい。無線ユニット８には、無線ユニット８の動作を制御する無線ユニット制御装置Ｃｗが組み込まれており、無線ユニット制御装置Ｃｗは、主としてマイクロコンピュータから構成され、処理プログラムに従って、各構成部を制御する制御部、自動排水装置７及び各リモコン１０１，２０１と無線通信する無線通信部、本体側制御装置Ｃｍと通信する通信制御部等を備えている。なお、無線通信としては、従来公知の赤外線通信や無線ＬＡＮを使用できる。
【００２３】
熱源機３内には、風呂給湯装置全体の運転を制御する本体側制御装置Ｃｍが組み込まれており、本体側制御装置Ｃｍは、無線ユニット８や、既述した給水量センサ３５、給湯温度センサ３６、湯張り電磁弁５０、流量センサ５２、循環ポンプＰ等と図示しない電気配線により接続されている。また、本体側制御装置Ｃｍは、主としてマイクロコンピュータから構成され、既述した各リモコン１０１，２０１やセンサ等からの信号に応じ、予め設定された処理プログラムに従って、各構成部を制御する本体制御部、無線ユニット８と通信する通信部、タイマ等を備えている。また、図示しないが、本体制御部は、熱源機３の燃焼を制御する燃焼制御部、自動湯張り運転を制御する湯張り運転制御部、追焚き運転を制御する追焚き運転制御部、自動排水装置７から送信される接触センサ７５の検知信号に基づき、自動湯張り運転の開始または禁止を判定する判定部等を備えている。
【００２４】
次に、本実施の形態の風呂給湯装置で自動湯張り運転を実行する場合の制御動作について、図２の制御フローに従って説明する。
使用者が、例えば、台所用リモコン２０１の運転スイッチ２０２をオン操作すると（ステップＳＴ１）、台所用リモコン２０１の端末側制御装置Ｃ２は、表示部２０５を点灯させるとともに、台所用リモコン２０１から無線ユニット８に運転スイッチ２０２のオン操作信号を送信する。すると、オン操作信号を受信した無線ユニット８は、本体側制御装置Ｃｍにオン操作信号を送信し、オン操作信号を受信した本体側制御装置Ｃｍは、熱源機３を運転待機状態とする。なお、図示しないが、このとき本体側制御装置Ｃｍは、無線ユニット８を介して浴室用リモコン１０１にオン操作信号を送信し、オン操作信号を受信した浴室用リモコン１０１の端末側制御装置Ｃ１は、表示部１０５を点灯させる。
【００２５】
次いで、使用者が、台所用リモコン２０１の湯張り運転スイッチ２０３をオン操作すると（ステップＳＴ２）、同様に、台所用リモコン２０１の端末側制御装置Ｃ２は、無線ユニット制御装置Ｃｗに湯張り運転オン操作信号を送信する。湯張り運転オン操作信号を受信した無線ユニット制御装置Ｃｗが、本体側制御装置Ｃｍに湯張り運転オン操作信号を送信すると、本体側制御装置Ｃｍは、自動排水栓７１の開栓検知信号を受信しているかどうかを判定する（ステップＳＴ３）。このとき、自動排水栓７１の開栓検知信号を受信していない場合（ステップＳＴ３で、Ｎｏ）、本体側制御装置Ｃｍは、自動排水栓７を閉栓させることなく、自動湯張り運転を開始させるためステップＳＴ８に進む。
【００２６】
一方、自動排水栓７１の開栓検知信号を受信していれば（ステップＳＴ３で、Ｙｅｓ）、無線ユニット制御装置Ｃｗに自動排水栓７１の閉栓信号を送信し、自動排水栓７１の閉栓信号を受信した無線ユニット制御装置Ｃｗは、自動排水装置７の排水栓制御装置Ｃｄに閉栓信号を送信する（ステップＳＴ４）。
【００２７】
閉栓信号を受信した排水栓制御装置Ｃｄは、自動排水栓７１が下方に移動するように、排水栓駆動部７３を駆動させる（ステップＳＴ５）。次いで、自動排水栓７１が所定の閉栓位置まで下方に移動して、接触センサ７５から自動排水栓７１が閉栓位置にあることを示す閉栓検知信号が排水栓制御装置Ｃｄに出力されると、排水栓制御装置Ｃｄは、無線ユニット制御装置Ｃｗに閉栓検知信号を送信し、閉栓検知信号を受信した無線ユニット制御装置Ｃｗは、本体側制御装置Ｃｍに閉栓検知信号を送信する（ステップＳＴ６）。所定時間内に、閉栓検知信号を受信した本体側制御装置Ｃｍは（ステップＳＴ７で、Ｙｅｓ）、所定の処理プログラムに従って、熱源機３を作動させて、浴槽２０に湯水を供給する自動湯張り運転を開始させる（ステップＳＴ８）。
【００２８】
一方、本体側制御装置Ｃｍは、所定時間内に閉栓検知信号を受信しない場合（ステップＳＴ７で、Ｎｏ）、自動湯張り運転を開始させることなく、閉栓異常信号を無線ユニット制御装置Ｃｗに送信し、閉栓異常信号を受信した無線ユニット制御装置Ｃｗは、端末側制御装置Ｃ１，Ｃ２に閉栓異常信号を送信して、閉栓異常を報知させる（ステップＳＴ９）。
【００２９】
以上詳細に説明したように、上記実施の形態の風呂給湯装置によれば、浴室内に浴室用リモコン１０１が設けられているだけでなく、浴室以外の台所にも湯張り運転スイッチ２０３を有する台所用リモコン２０１が設けられているから、使用者は、浴室以外から自動湯張り運転を開始させることができる。そして、台所用リモコン２０１の湯張り運転スイッチ２０３の操作に連動して、自動排水栓７１を閉栓させるから、使用者は排水栓が閉栓されているかどうかを確認するために、浴室に行く必要がない。これにより、自動湯張り運転における使用者の使い勝手を改善できるとともに、使用者が自動排水栓７１を閉め忘れていたとしても、浴槽２０に無駄な湯水が供給されるのを防止できる。
【００３０】
また、上記実施の形態の風呂給湯装置によれば、台所用リモコン２０１の湯張り運転スイッチ２０３が操作されると、自動排水栓７１を閉栓させるが、自動排水装置７は自動排水栓７１の開閉を検知する接触センサ７５を有しており、閉栓検知信号が出力されたことを確認してから、熱源機３を動作させて自動湯張り運転を開始させるから、自動排水栓７１への異物の噛み込みや自動排水栓７１の駆動構成の異常により閉栓異常が生じている場合、浴槽２０に湯水は供給されない。これにより、閉栓異常が生じた場合の湯水の無駄を防止できる。また、上記実施の形態の風呂給湯装置によれば、自動排水栓７１の閉栓を検知するために、浴槽２０に一定量の湯水を供給する必要もないし、一定量の湯水を供給した後、循環ポンプＰを駆動して、循環回路４０に湯水が循環されるかどうかを確認する必要もない。これにより、閉栓異常が生じていた場合、直ちに使用者に閉栓異常を認識させることができる。
【００３１】
従って、上記実施の形態の風呂給湯装置は、使用者の使い勝手がよく、湯水の無駄を防止できるとともに、排水栓の閉め忘れのない状態で、円滑な自動湯張り運転を実行できる。
【００３２】
（その他の実施の形態）
（１）上記実施の形態では、自動排水装置７及び各リモコン１０１，２０１と無線ユニット８とが無線接続され、無線ユニット８が本体側制御装置Ｃｍと有線接続された風呂給湯装置について説明したが、無線ユニット８を用いることなく、自動排水装置７及び各リモコン１０１，２０１と本体側制御装置Ｃｍとを電気配線により有線接続してもよい。図３は、上記風呂給湯装置の一例を示す概略構成図であり、図１の風呂給湯装置と同一の構成については、同一の引用番号を付して説明を省略する。
【００３３】
図３に示すように、自動排水装置７及び各リモコン１０１，２０１は、本体側制御装置Ｃｍと電気配線により直接接続されている。従って、例えば、使用者が、台所用リモコン２０１の運転スイッチ２０２をオン操作した後、湯張り運転スイッチ２０３をオン操作すると、湯張り運転オン操作信号が本体側制御装置Ｃｍに直接、送信され、本体側制御装置Ｃｍは、排水栓制御装置Ｃｄに閉栓信号を送信する。従って、本実施の形態では、本体側制御装置Ｃｍが、閉栓信号送信手段としても機能する。
【００３４】
同様に、排水栓制御装置Ｃｄが閉栓信号を受信して、自動排水栓７１が閉栓されると、無線ユニット８を介さずに本体側制御装置Ｃｍに閉栓検知信号が送信される。
【００３５】
従って、この実施の形態の風呂給湯装置も、使用者の使い勝手がよく、湯水の無駄を防止できるとともに、排水栓の閉め忘れのない状態で、円滑な自動湯張り運転を実行できる。また、無線ユニット８を設ける必要がないから、安価に風呂給湯装置を構成できる。
【００３６】
（２）上記実施の形態では、排水栓制御装置Ｃｄは、排水栓駆動部７３近傍に設けられているが、自動排水栓７１近傍に設けてもよい。
【符号の説明】
【００３７】
２０          浴槽
７            自動排水装置
７１          自動排水栓
７２          手動操作スイッチ（手動操作部）
７３          開閉駆動手段
７５          接触スイッチ（開閉検知手段）
８            無線ユニット（閉栓信号出力手段）
２０１        台所用リモコン（浴室外操作端末）
Ｃ１，Ｃ２    端末側制御装置
Ｃｍ          本体側制御装置
Ｃｄ          排水栓制御装置
Ｃｗ          無線ユニット制御装置
【図１】
2017198379.tif 000003
【図２】
2017198379.tif 000004
【図３】
2017198379.tif 000005
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
浴槽と、
浴槽底部に設けられた自動排水栓、自動排水栓を開閉駆動する開閉駆動手段、自動排水栓の開閉を検知する開閉検知手段、及び通信手段を有する自動排水装置と、
浴槽の自動湯張り運転を操作する浴室以外に配設された少なくとも１つの浴室外操作端末と、
浴室外操作端末での自動湯張り運転の操作に連動して、自動排水装置に自動排水栓の閉栓信号を送信する閉栓信号送信手段と、
自動湯張り運転を制御する制御装置と、を備え、
自動排水装置は、閉栓信号送信手段からの閉栓信号を受信すると、開閉駆動手段を駆動して自動排水栓を閉栓させ、開閉検知手段が閉栓状態を検知すると、閉栓検知信号を制御装置に送信し、
制御装置は、自動排水装置からの閉栓検知信号を受信すると、自動湯張り運転を開始させる風呂給湯装置。
【請求項２】
請求項１に記載の風呂給湯装置において、
自動排水装置、及び浴室外操作端末は、閉栓信号送信手段と、無線により接続され、
閉栓信号送信手段は、湯水を生成する熱源機内に設けられた制御装置と有線により接続されている風呂給湯装置。
【請求項３】
請求項１または２に記載の風呂給湯装置において、
自動排水装置は、手動操作部をさらに有する風呂給湯装置。
【手続補正２】
【補正対象書類名】明細書
【補正対象項目名】０００８
【補正方法】変更
【補正の内容】
【０００８】
本発明は、
浴槽と、
浴槽底部に設けられた自動排水栓、自動排水栓を開閉駆動する開閉駆動手段、自動排水栓の開閉を検知する開閉検知手段、及び通信手段を有する自動排水装置と、
浴槽の自動湯張り運転を操作する浴室以外に配設された少なくとも１つの浴室外操作端末と、
浴室外操作端末での自動湯張り運転の操作に連動して、自動排水装置に自動排水栓の閉栓信号を送信する閉栓信号送信手段と、
自動湯張り運転を制御する制御装置と、を備え、
自動排水装置は、閉栓信号送信手段からの閉栓信号を受信すると、開閉駆動手段を駆動して自動排水栓を閉栓させ、開閉検知手段が閉栓状態を検知すると、閉栓検知信号を制御装置に送信し、
制御装置は、自動排水装置からの閉栓検知信号を受信すると、自動湯張り運転を開始させる風呂給湯装置である。
【手続補正３】
【補正対象書類名】明細書
【補正対象項目名】０００９
【補正方法】変更
【補正の内容】
【０００９】
上記風呂給湯装置によれば、浴室外操作端末での自動湯張り運転の操作に連動して、閉栓信号送信手段は自動排水栓の閉栓信号を送信させ、自動排水装置は閉栓信号を受信すると、開閉駆動手段を駆動して自動排水栓を閉栓させるから、浴室外操作端末を操作した場合でも、排水栓の閉栓を確認するために、使用者は浴室に行く必要がない。
また、上記風呂給湯装置によれば、自動排水装置は自動排水栓の開閉を検知する開閉検知手段を有しており、開閉検知手段で自動排水栓の閉栓が検知されて閉栓検知信号が送信されたときのみ、制御装置は自動湯張り運転を開始させるから、自動排水栓の閉栓が確認された後、浴槽に湯水を供給できる。